(57)【要約】【課題】液体を取り出す際に噴霧状態での取出しと直射状態での取出しとをより簡単な操作で切り替えることが出来る液体収納容器を提供する。【解決手段】液体収納容器は、容器本体（１）、蓋体（２）、液体排出用の導管（３）を備え、蓋体（２）は、容器本体（１）に嵌着されたキャップ本体（４）と、当該キャップ本体に回動可能に装着された可動キャップ（５）とを有する。可動キャップ（５）には、噴射孔（５ｃ）を有する気液混合室（５０）が設けられ、導管（３）は、気液混合室（５０）から容器本体（１）内部へ伸長される。そして、液体を取り出す際は、可動キャップ（５）の回動操作により、可動キャップ（５）の通気路（５２）及びキャップ本体（４）の通気孔（４２）を通じて容器本体（１）の上部空間に気液混合室（５０）を開放した状態と、容器本体（１）の上部空間に対して気液混合室（５０）を遮蔽した状態とを選択する。【選択図】        図１
2005040687.tif 000002
【特許請求の範囲】
【請求項１】
液体を取り出す際に噴霧状態での取出しと直射状態での取出しとを切替可能になされた液体収納容器であって、弾性変形可能な柔軟な容器本体と、前記容器本体の頂部に取り付けられた蓋体と、当該蓋体から前記容器本体内の略底部まで伸長された液体排出用の導管とを備え、前記蓋体は、前記容器本体の頂部に嵌着された略逆有底円筒状のキャップ本体と、当該キャップ本体の外側に回動可能に装着された略逆有底円筒状の可動キャップとを有し、前記キャップ本体の上端部には、当該キャップ本体の中心線を中心とする円弧状に形成されて前記導管が貫通するスリットが設けられ、かつ、当該スリットの円弧の一端部は、前記導管を位置させた場合に当該導管の外周側に前記容器本体内部へ通じる通気孔が形成される形状とされ、前記スリットの円弧の他端部は、前記導管を位置させた場合に当該導管が略気密に嵌合する形状とされ、前記可動キャップは、前記キャップ本体のスリットに対応する位置に設けられ且つ前記導管の上端部が連結された気液混合室と、当該気液混合室の上部に開口された噴射孔とを有し、かつ、前記気液混合室に配置された前記導管の上端部の外周部には、下端開放の通気路が設けられ、そして、液体を取り出す際は、前記可動キャップを回動させることにより、前記導管を前記スリットの一端部に位置させ、前記可動キャップの気液混合室の通気路を前記スリットの一端部の通気孔に重畳させるか、または、前記導管を前記スリットの他端部に位置させ、前記可動キャップの気液混合室の通気路を封止する様になされていることを特徴とする液体収納容器。
【発明の詳細な説明】
【０００１】
【発明の属する技術分野】
本発明は、液体収納容器に関するものであり、詳しくは、消毒液などの液体を収納する容器であって、液体を取り出す際に噴霧状態での取出しと直射状態での取出しとを切替可能になされた液体収納容器に関するものである。
【０００２】
【従来の技術】
傷口を消毒する消毒液などを収容する容器としては、容器本体を押圧することにより、容器本体内の液体を噴霧状態で取り出す様にした噴霧容器が知られている。上記の噴霧容器は、弾性変形可能な容器本体と、当該容器本体の頂部に被着された主蓋と、容器本体内部に挿入された液体排出用の導管とから成り、前記主蓋の頂壁には、内部を気液混合室とされ且つ一部に噴霧孔を有する噴霧用突起が突設され、当該噴霧用突起の気液混合室には、前記導管が接続され且つ容器本体の上部空間に通じる主連通孔および副連通孔が前記導管と並列に設けられており、そして、正立状態で使用した場合には、導管から液体を排出し且つ主連通孔から容器本体内の空気を排出することにより、気液混合室でミストを形成し、また、倒立状態で使用した場合には、導管から容器本体内の空気を排出し且つ副連通孔から液体を排出することにより、気液混合室でミストを形成し、何れの場合も、噴霧孔から液体を噴霧する様になされている（例えば、特許文献１参照。）。
【０００３】
【特許文献１】
特開昭５４−１０４１７号公報
【０００４】
【発明が解決しようとする課題】
ところで、上記の噴霧容器においては、少量の消毒液を噴霧する場合はよいが、消毒液の使用方法により、ある程度多量に消毒液を取り出す場合は、何回も容器本体を押圧して噴霧しなければならない。従って、上記の様な容器においては、使用態様に応じて噴霧状態での取出しと直射状態での取出しを切替得る構造が望まれる。
【０００５】
本発明は、上記の実情に鑑みなされたものであり、その目的は、消毒液などの液体を収納する容器であって、液体を取り出す際に噴霧状態での取出しと直射状態での取出しとをより簡単な操作で切り替えることが出来る液体収納容器を提供することにある。
【０００６】
【課題を解決するための手段】
本発明においては、容器本体の頂部に取り付けられる蓋体をキャップ本体と外側の可動キャップとから構成し、噴射孔を有する気液混合室を外側の可動キャップに設け、気液混合室から容器本体内部へ液体排出用の導管を伸長した。そして、可動キャップの回動により、容器本体の上部空間に対して気液混合室を開放した状態と、容器本体の上部空間に対して気液混合室を遮蔽した状態とを形成する様にした。
【０００７】
すなわち、本発明の要旨は、液体を取り出す際に噴霧状態での取出しと直射状態での取出しとを切替可能になされた液体収納容器であって、弾性変形可能な柔軟な容器本体と、前記容器本体の頂部に取り付けられた蓋体と、当該蓋体から前記容器本体内の略底部まで伸長された液体排出用の導管とを備え、前記蓋体は、前記容器本体の頂部に嵌着された略逆有底円筒状のキャップ本体と、当該キャップ本体の外側に回動可能に装着された略逆有底円筒状の可動キャップとを有し、前記キャップ本体の上端部には、当該キャップ本体の中心線を中心とする円弧状に形成されて前記導管が貫通するスリットが設けられ、かつ、当該スリットの円弧の一端部は、前記導管を位置させた場合に当該導管の外周側に前記容器本体内部へ通じる通気孔が形成される形状とされ、前記スリットの円弧の他端部は、前記導管を位置させた場合に当該導管が略気密に嵌合する形状とされ、前記可動キャップは、前記キャップ本体のスリットに対応する位置に設けられ且つ前記導管の上端部が連結された気液混合室と、当該気液混合室の上部に開口された噴射孔とを有し、かつ、前記気液混合室に配置された前記導管の上端部の外周部には、下端開放の通気路が設けられ、そして、液体を取り出す際は、前記可動キャップを回動させることにより、前記導管を前記スリットの一端部に位置させ、前記可動キャップの気液混合室の通気路を前記スリットの一端部の通気孔に重畳させるか、または、前記導管を前記スリットの他端部に位置させ、前記可動キャップの気液混合室の通気路を封止する様になされていることを特徴とする液体収納容器に存する。
【０００８】
【発明の実施の形態】
本発明に係る液体収納容器の一実施形態を図面に基づいて説明する。図１は、本発明に係る液体収納容器の全体構造を示す縦断面図である。図２は、本発明に係る液体収納容器の蓋体の構造および液体の噴霧状態を示す縦断面図である。図３は、本発明に係る液体収納容器の蓋体の構造および液体の直射状態を示す縦断面図である。また、図４は、キャップ本体におけるスリットの形状およびスリットに対する導管の貫通位置をキャップ本体の背面側から示した斜視図であり、分図（ａ）は噴霧状態における導管の位置を示し、分図（ｂ）は直射状態における導管の位置を示す。なお、実施形態の説明においては、液体収納容器を「容器」と略記する。
【０００９】
本発明の容器は、消毒液などの液体を収納する場合に使用される合成樹脂製の容器であって、液体を取り出す際に噴霧状態での取出しと直射状態での取出しとを切替可能になされた容器である。本発明の容器は、図１に示す様に、弾性変形可能な柔軟な容器本体（１）と、当該容器本体の頂部に取り付けられた蓋体（２）と、当該蓋体から容器本体（１）内の略底部まで伸長された液体排出用の導管（３）とから主に構成される。
【００１０】
容器本体（１）、蓋体（２）及び導管（３）は、通常、オレフィン系樹脂によって構成される。上記オレフィン系樹脂としては、ポリエチレンとポリプロピレン系ポリマーが代表的である。ポリエチレンとしては、高密度ポリエチレン（ＨＤＰＥ）、低密度ポリエチレン（ＬＤＰＥ）、これらのブレンド物（ＨＤＰＥ／ＬＤＰＥ）が挙げられる。ポリプロピレン系ポリマーとしては、ポリプロピレン、ポリプロピレンとエチレン等の他のα−オレフィンとのランダム（又はブロック）共重合体、シンジオタクチックポリプロピレン、これらのブレンド物が挙げられる。なお、シンジオタクチックポリプロピレンは、例えばメタタロセン触媒によって得ることが出来る。
【００１１】
容器本体（１）の層構成は、単層または複層であってもよい。複層構成の場合は、内層側にメタタロセン触媒によって得られたポリマーを使用するのが好ましい。メタロセン触媒（シングルサイト触媒）を使用した気相法、液相法または溶液法によって得られるポリマーは、非常にシャープな分子量分布および非常にシャープな組成分布を有する極めて均質なポリマーであり、柔軟性と耐薬品性に優れている。通常、容器本体（１）は、押出ブロー成形法、延伸ブロー成形法などの各種のブロー成形法によって製造され、蓋体（２）は、インジェクション成形法によって製造され、そして、導管（３）は、押出成形法によって製造される。
【００１２】
容器本体（１）は、掌で把持し得る形状であれば各種の形状に成形し得るが、例えば、図示する様に、中心線に直交する断面が略楕円形で且つ上部に向かうに従い断面積が漸次小さくなる様に絞られた形状に設計される。そして、容器本体（１）の胴部の肉厚は、容器本体（１）を把持し、指先で押圧した場合に、適度に変形する程度の厚さに設計される。
【００１３】
本発明の容器において、蓋体（２）は、容器本体（１）の頂部、すなわち、容器本体（１）の口頚部（１１）に嵌着された略逆有底円筒状のキャップ本体（４）と、当該キャップ本体の外側に回動可能に装着された略逆有底円筒状の可動キャップ（５）とを有している。
【００１４】
キャップ本体（４）は、図２及び図３に示す様に、上端が略平坦な逆カップ状に形成され、その下端側内周面には、容器本体（１）の口頚部（１１）に嵌合させるための突起部（４３）が周方向に沿って設けられる。一方、口頚部（１１）の外周面には、周方向に沿って突起部（１３）が設けられており、キャップ本体（４）は、口頚部（１１）の突起部（１３）の下端側に突起部（４３）を嵌込むことにより、口頚部（１１）に嵌合される。なお、図示しないが、キャップ本体（４）の回転を防止するため、キャップ本体（４）の内周面には、口頚部（１１）の縦溝に嵌合する周り止めのリブが設けられる。
【００１５】
可動キャップ（５）は、キャップ本体（４）の外周形状に略倣った形状の逆カップ状に形成され且つその上端部に後述の気液混合室（５０）に相当する膨出部を備え、そして、可動キャップ（５）の内周面には、キャップ本体（４）に嵌合させるための突起部（５４）が周方向に沿って設けられる。一方、上記のキャップ本体（４）の上部外周面には、周方向に沿って突起部（４４）が設けられており、可動キャップ（５）は、キャップ本体（４）の突起部（４４）の下端側に突起部（５４）を嵌込むことにより、キャップ本体（４）に回動自在に装着される。また、可動キャップ（５）には、当該可動キャップと一体成形された外蓋（６）がヒンジ（６１）によって連結されている。
【００１６】
本発明においては、液体の噴霧と直射を簡単に切り替えるため、噴射孔（５ｃ）を有する気液混合室（５０）を外側の可動キャップ（５）に設け、気液混合室（５０）から容器本体（１）内部へ液体排出用の導管（３）を伸長し、そして、可動キャップ（５）の回動により、容器本体（１）の上部空間に気液混合室（５０）を開放した状態と、容器本体（１）の上部空間に対して気液混合室（５０）を遮蔽した状態とを形成する様にした。
【００１７】
具体的には、可動キャップ（５）の中心から外れた位置に気液混合室（５０）が設けられ且つ当該気液混合室から容器本体（１）の内部に亙って導管（３）が伸長されるため、キャップ本体（４）の上端部には、当該キャップ本体の中心線を中心とする円弧状に形成されて導管（３）が貫通するスリット（４０）が設けられる。斯かるスリット（４０）は、図４に示す様に、可動キャップ（５）を上面または下面から視た場合、１８０°の円弧状に形成される。そして、図２及び図４に示す様に、スリット（４０）の円弧の一端部（４０ａ）（図４（ｂ）参照）は、導管（３）を位置させた場合に当該導管の外周側に容器本体（１）内部へ通じる通気孔（４２）が形成される形状とされ（図４（ａ）参照）、スリット（４０）の円弧の他端部（４０ｂ）（図４（ａ）参照）は、前記導管を位置させた場合に当該導管が略気密に嵌合する形状とされる（図４（ｂ）参照）。
【００１８】
一方、図２及び図３に示す様に、上記の可動キャップ（５）は、キャップ本体（４）の上記のスリット（４０）に対応する位置に設けられ且つ導管（３）の上端部が連結された気液混合室（５０）と、当該気液混合室の上部に開口された噴射孔（５ｃ）とを有している。気液混合室（５０）は、可動キャップ（５）を回動させた場合にキャップ本体（４）のスリット（４０）に沿って移動する様に、可動キャップ（５）の中心に対して偏心した位置に設けられる。そして、気液混合室（５０）に配置された導管（３）の上端部の外周部には、下端が開放された通気路（５２）が設けられる。通気路（５２）は、気液混合室（５０）へ至る可動キャップ（５）の導管取付穴の水平断面形状を例えば鍵穴状とすることにより形成することが出来る。
【００１９】
そして、本発明の容器においては、液体を取り出す際、可動キャップ（５）を回動させることにより、導管（３）をスリット（４０）の一端部（４０ａ）に位置させ、可動キャップ（５）の気液混合室（５０）の通気路（５２）をスリット（４０）の一端部（４０ａ）の通気孔（４２）に重畳させるか、または、導管（３）をスリット（４０）の他端部（４０ｂ）に位置させ、可動キャップ（５）の気液混合室（５０）の通気路（５２）を封止する様になされている。
【００２０】
すなわち、本発明の容器を使用する場合は、外蓋（６）を外し、可動キャップ（５）を左右何れかの方向に回動させることにより、噴霧による液体の吐出と直射による液体の吐出とを選択する。図２は、噴霧状態で液体を取り出す場合の可動キャップ（５）のセット位置を示し、図３は、直射状態で液体を取り出す場合の可動キャップ（５）のセット位置を示している。
【００２１】
図２に示す様に、可動キャップ（５）の通気路（５２）をキャップ本体（４）の通気孔（４２）に重畳させた場合には、容器本体（１）を押圧することにより、導管（３）を通して液体が気液混合室（５０）に導かれ、かつ、通気孔（４２）及び通気路（５２）を通して容器本体（１）内の空気が気液混合室（５０）に導かれるため、気液混合室（５０）において液体を空気と混合してミスト状にすることが出来、噴射孔（５ｃ）を通じて液体を噴霧することが出来る。また、図３に示す様に、可動キャップ（５）の通気路（５２）を容器本体（１）の上部空間から遮蔽した場合には、容器本体（１）を押圧することにより、導管（３）を通して液体だけが気液混合室（５０）に導かれるため、噴射孔（５ｃ）を通じて液体をそのまま直射することが出来る。
【００２２】
上記の様に、本発明の容器は、可動キャップ（５）の操作により、容器本体（１）の上部空間に気液混合室（５０）を開放した状態と、容器本体（１）の上部空間に対して気液混合室（５０）を遮蔽した状態とを選択し得るため、液体を取り出す際、可動キャップ（５）を例えば１８０°回動させるだけの極めて簡単な操作により、噴霧状態での取出しと直射状態での取出しとを直ちに切り替えることが出来る。
【００２３】
【発明の効果】
本発明の液体収納容器によれば、液体を取り出す際、可動キャップを回動させるだけの極めて簡単な操作により、噴霧状態での取出しと直射状態での取出しとを直ちに切り替えることが出来る。
【図面の簡単な説明】
【図１】本発明に係る液体収納容器の全体構造を示す縦断面図である。
【図２】本発明に係る液体収納容器の蓋体の構造および液体の噴霧状態を示す縦断面図である。
【図３】本発明に係る液体収納容器の蓋体の構造および液体の直射状態を示す縦断面図である。
【図４】キャップ本体におけるスリットの形状およびスリットに対する導管の貫通位置をキャップ本体の背面側から示した斜視図である。
【符号の説明】
１    ：容器本体
１１  ：口頚部
１３  ：突起部
２    ：蓋体
３    ：導管
４    ：キャップ本体
４０  ：スリット
４０ａ：スリットの一端部
４０ｂ：スリットの他端部
４２  ：通気孔
４３  ：突起部
４４  ：突起部
５    ：可動キャップ
５０  ：気液混合室
５ｃ  ：噴射孔
５２  ：通気路
５４  ：突起部
６    ：外蓋
６１  ：ヒンジ
【図１】
2005040687.tif 000003
【図２】
2005040687.tif 000004
【図３】
2005040687.tif 000005
【図４】
2005040687.tif 000006